(57)【要約】【課題】複数の液処理装置に均一に気体を供給することができる基板処理装置を提供する。【解決手段】給気ユニット４１は、塗布処理ユニット１２９の上方に設けられる。塗布処理ユニット１２９は、２つのカップ２７を有する。給気ユニット４１は、空気流通部９１およびフィルタ装置９４，９５を備える。空気流通部９１内には、開口９１２，９１３が形成される。開口９１２は、２つのカップ２７のうちの一方のカップ２７の上方に形成され、開口９１３は、他方のカップ２７の上方に形成される。フィルタ装置９４は、開口９１２を覆うように設けられ、フィルタ装置９５は、開口９１３を覆うように設けられる。開口９１２，９１３上には、複数の気流調整部材９７が設けられる。【選択図】図８
2010087116.tif 000002
【特許請求の範囲】
【請求項１】
略水平方向に延びる一方向に沿って設けられ基板に液処理を行う第１および第２の液処理装置と、
前記第１および第２の液処理装置の上方に設けられ前記第１および第２の液処理装置に向けて気体を吐出する気体供給装置とを備え、
前記気体供給装置は、本体部と前記本体部の下面側においてそれぞれ前記第１および第２の液処理装置の上方に設けられる第１および第２のフィルタとを含み、
前記本体部は、
前記一方向に略平行に延びるように形成され供給源から供給される気体が流通する流通空間と、
前記流通空間と前記第１のフィルタとを連通させる第１の開口と、
前記流通空間と前記第２のフィルタとを連通させる第２の開口と、
前記流通空間内において前記第１および第２の開口上に設けられる複数の気流調整部材とを有し、
前記複数の気流調整部材は、前記一方向に平行な方向と交差しかつ略水平方向に延びるように設けられることを特徴とする基板処理装置。
【請求項２】
前記気流調整部材は、略棒状の形状を有することを特徴とする請求項１記載の基板処理装置。
【請求項３】
前記流通空間において気体が前記一方向に平行な方向に流通するように前記供給源から前記流通空間に気体が供給されることを特徴とする請求項１または２記載の基板処理装置。
【請求項４】
前記複数の気流調整部材は、前記一方向に平行な方向と直交するように設けられることを特徴とする請求項３記載の基板処理装置。
【請求項５】
前記第１の開口に設けられ複数の第１の貫通孔を有する第１の流量調整板と前記第２の開口に設けられ複数の第２の貫通孔を有する第２の流量調整板とをさらに備えることを特徴とする請求項１〜４のいずれかに記載の基板処理装置。
【請求項６】
前記第１の開口は前記第２の開口よりも前記流通空間における上流側に形成され、
前記第１の流量調整板の面積および前記第２の流量調整板の面積は略等しく、
前記第１の流量調整板の開口面積が前記第２の流量調整板の開口面積よりも大きくなるように前記複数の第１および第２の貫通孔の大きさまたは数が設定されることを特徴とする請求項５記載の基板処理装置。
【請求項７】
基板に処理を行う処理部と、
略水平方向に延びる一方向およびその逆方向に移動可能に設けられ、前記処理部に基板を搬送する基板搬送装置と、
前記基板搬送装置の上方に設けられ前記基板搬送装置に向けて気体を吐出する気体供給装置とを備え、
前記気体供給装置は、本体部と、前記本体部の下面側において前記一方向に平行な方向に沿って設けられる第１および第２のフィルタとを含み、
前記本体部は、
前記一方向に略平行に延びるように形成され供給源から供給される気体が流通する流通空間と、
前記流通空間に沿って形成され前記流通空間からの気体が流入する第１および第２の流入空間と、
前記第１の流入空間と前記第１のフィルタとを連通させる第１の開口と、
前記第２の流入空間と前記第２のフィルタとを連通させる第２の開口と、
前記第１の流入空間および前記第２の流入空間の間に設けられ前記第１の流入空間および前記第２の流入空間を分離する仕切りとを有することを特徴とする基板処理装置。
【請求項８】
前記流通空間と前記第１および第２の流入空間との間に設けられ前記流通空間と前記第１および第２の流入空間とを連通させる複数のスリットを有するスリット板をさらに備えることを特徴とする請求項７記載の基板処理装置。
【請求項９】
前記第１の流入空間は、前記流通空間の上流側の領域に沿うように形成され、
前記第２の流入空間は、前記流通空間の下流側の領域に沿うように形成され、
前記第１の流入空間の容積および前記第２の流入空間の容積は略等しく、
前記複数のスリットは、前記流通空間と前記第１の流入空間とを連通させる第１のスリット群および前記流通空間と前記第２の流入空間とを連通させる第２のスリット群からなり、
前記第１のスリット群による前記流通空間と前記第１の流入空間との間の開口面積は前記第２のスリット群による前記流通空間と前記第２の流入空間との間の開口面積よりも大きいことを特徴とする請求項８記載の基板処理装置。
【請求項１０】
基板に処理を行う処理部と、
略水平方向に延びる一方向およびその逆方向に移動可能に設けられ、前記処理部に基板を搬送する基板搬送装置と、
前記基板搬送装置の上方において前記基板搬送装置に向けて気体を吐出する気体供給装置と、
前記基板搬送装置の下方に設けられ前記気体供給装置から吐出された気体を吸入する気体吸入装置とを備え、
前記気体供給装置は、前記一方向に略平行に延びるように設けられる気体吐出面を有し、
前記気体吸入装置は、
前記一方向に略平行に延びるように設けられる気体吸入部と、
前記気体吸入部に接続される吸引管と、
前記吸引管に接続され気体を吸引する吸引装置とを含み、
前記気体吸入部は、前記気体吐出面に対向しかつ前記一方向に略平行な方向に沿って設けられる第１および第２の吸入面と、前記第１および第２の吸入面にそれぞれ形成される複数の第１および第２の吸入口と、前記第１および第２の吸入口において吸入された気体が流通する流通空間とを有し、
前記吸引管は前記第１の吸入面の下方の領域において前記流通空間に連通するように前記気体吸入部に接続され、
前記第１の吸入面の面積および前記第２の吸入面の面積は等しく、
前記第１の吸入面の開口面積が前記第２の吸入面の開口面積よりも小さくなるように前記複数の第１および第２の吸入口の大きさまたは数が設定されることを特徴とする基板処理装置。
【発明の詳細な説明】
【技術分野】
【０００１】
本発明は、基板に種々の処理を行う基板処理装置に関する。
【背景技術】
【０００２】
半導体基板、液晶表示装置用基板、プラズマディスプレイ用基板、光ディスク用基板、磁気ディスク用基板、光磁気ディスク用基板、フォトマスク用基板等の各種基板に所定の処理を行うために、種々の処理装置が用いられている。
【０００３】
例えば、特許文献１に記載された処理システムは、複数の液処理装置、複数の熱処理装置および搬送装置を備えている。この処理システムにおいては、搬送装置により基板が液処理装置および熱処理装置に搬送される。そして、液処理装置および熱処理装置において基板に所定の液処理および熱処理が行われる。
【０００４】
このような処理システムにおいて基板の各処理工程において処理精度を向上させるためには、処理システム内の温度管理を行う必要がある。そこで、上記の処理システムにおいては、温湿度調整装置により温湿度調整された空気が処理システム内に供給されている。
【０００５】
具体的には、特許文献１記載の処理システムにおいては、例えば、処理システム内に壁ダクトおよび天井チャンバが設けられている。また、天井チャンバの下方には、複数のフィルタが設けられている。このような構成により、温湿度調整された空気が壁ダクト、天井チャンバおよび複数のフィルタを介して処理システム内に供給される。
【特許文献１】特開平１１−７４１６８号公報
【発明の開示】
【発明が解決しようとする課題】
【０００６】
しかしながら、特許文献１記載の処理システムの構成では、複数のフィルタ上にそれぞれファンを設けない場合には、複数のフィルタから均一な量の空気を吐出させることができない。具体的には、複数のフィルタのうち壁ダクトに近い位置に設けられる一のフィルタから吐出される空気量と壁ダクトから離れた位置に設けられる他のフィルタから吐出される空気量とに差が生じる。この場合、以下のような問題が発生する。
【０００７】
例えば、複数のフィルタにより複数の液処理装置に空気を供給する場合、複数の液処理装置のうち一の液処理装置に供給される空気量と他の液処理装置に供給される空気量に差が生じる。この場合、一の液処理装置における基板の処理状態と他の液処理装置における基板の処理状態とに差が生じる。それにより、基板処理装置における基板の均一な処理が困難になる。
【０００８】
また、例えば、複数のフィルタにより搬送装置に空気を供給する場合、搬送装置の移動経路上において、空気供給量にむらが生じる。この場合、搬送装置により基板が搬送される際に基板の周辺の環境が変化する。それにより、基板の高精度な管理が困難になる。
【０００９】
本発明の目的は、複数の液処理装置に均一に気体を供給することができる基板処理装置を提供することである。
【００１０】
本発明の他の目的は、搬送装置の移動経路上に均一に気体を供給することができる基板処理装置を提供することである。
【課題を解決するための手段】
【００１１】
（１）第１の発明に係る基板処理装置は、略水平方向に延びる一方向に沿って設けられ基板に液処理を行う第１および第２の液処理装置と、第１および第２の液処理装置の上方に設けられ第１および第２の液処理装置に向けて気体を吐出する気体供給装置とを備え、気体供給装置は、本体部と本体部の下面側においてそれぞれ第１および第２の液処理装置の上方に設けられる第１および第２のフィルタとを含み、本体部は、一方向に略平行に延びるように形成され供給源から供給される気体が流通する流通空間と、流通空間と第１のフィルタとを連通させる第１の開口と、流通空間と第２のフィルタとを連通させる第２の開口と、流通空間内において第１および第２の開口上に設けられる複数の気流調整部材とを有し、複数の気流調整部材は、一方向に平行な方向と交差しかつ略水平方向に延びるように設けられるものである。
【００１２】
この基板処理装置においては、第１および第２の液処理装置が略水平方向に延びる一方向に沿って設けられる。また、その第１および第２の液処理装置の上方には、第１および第２の液処理装置に向けて気体を吐出する気体供給装置が設けられる。気体供給装置は、本体部およびその本体部の下面側に設けられる第１および第２のフィルタを有する。第１および第２のフィルタは、第１および第２の液処理装置の上方にそれぞれ設けられる。また、気体供給装置の本体部には、上記一方向に略平行に延びるように形成される流通空間と、第１および第２の開口とが設けられる。
【００１３】
このような構成において、供給源から本体部の流通空間に供給された気体は、第１の開口を通過して第１のフィルタから第１の液処理装置に向けて吐出され、第２の開口を通過して第２のフィルタから第２の液処理装置に向けて吐出される。
【００１４】
ここで、この気体供給装置においては、第１および第２の開口上に複数の気流調整部材が設けられる。そして、その複数の気流調整部材は、上記一方向に平行な方向と交差しかつ略水平方向に延びるように設けられる。
【００１５】
この場合、複数の気流調整部材により気流が調整されるので、流通空間において、第１の開口上の気体の流速と第２の開口上の気体の流速とに差が生じることを防止することができる。それにより、第１のフィルタから吐出される気体量と第２のフィルタから吐出される気体量とに差が生じることを防止することができるので、第１および第２の液処理装置に均一に気体を供給することができる。その結果、第１および第２の液処理装置において均一な液処理が可能になる。
【００１６】
（２）気流調整部材は、略棒状の形状を有してもよい。この場合、気流調整部材の製造が容易になる。また、流通空間内における気体の流速を容易に均一化することができる。
【００１７】
（３）流通空間において気体が一方向に平行な方向に流通するように供給源から流通空間に気体が供給されてもよい。この場合、流通空間に気体を供給するための装置を本体部の一端側に設けることができるので、基板処理装置内の構造を簡略化することができる。
【００１８】
（４）複数の気流調整部材は、一方向に平行な方向と直交するように設けられてもよい。この場合、流通空間内における気体の流速を十分に均一化することができる。
【００１９】
（５）基板処理装置は、第１の開口に設けられ複数の第１の貫通孔を有する第１の流量調整板と第２の開口に設けられ複数の第２の貫通孔を有する第２の流量調整板とをさらに備えてもよい。
【００２０】
この基板処理装置においては、第１の開口上の気体は複数の第１の貫通孔を通過して第１のフィルタから吐出され、第２の開口上の気体は複数の第２の貫通孔を通過して第２のフィルタから吐出される。この場合、第１および第２の開口上の気体の流速を容易に均一化することができる。
【００２１】
（６）第１の開口は第２の開口よりも流通空間における上流側に形成され、第１の流量調整板の面積および第２の流量調整板の面積は略等しく、第１の流量調整板の開口面積が第２の流量調整板の開口面積よりも大きくなるように複数の第１および第２の貫通孔の大きさおよび数が設定されてもよい。
【００２２】
この場合、複数の第１の貫通孔を通過する気体量と複数の第２の貫通孔を通過する気体量とに差が生じることを防止することができる。それにより、第１のフィルタから吐出される気体量と第２のフィルタから吐出される気体量とに差が生じることを十分に防止することができるので、第１および第２の液処理装置によりより均一に気体を供給することができる。その結果、第１および第２の液処理装置においてより均一な液処理が可能になる。
【００２３】
（７）第２の発明に係る基板処理装置は、基板に処理を行う処理部と、略水平方向に延びる一方向およびその逆方向に移動可能に設けられ、処理部に基板を搬送する基板搬送装置と、基板搬送装置の上方に設けられ基板搬送装置に向けて気体を吐出する気体供給装置とを備え、気体供給装置は、本体部と、本体部の下面側において一方向に平行な方向に沿って設けられる第１および第２のフィルタとを含み、本体部は、一方向に略平行に延びるように形成され供給源から供給される気体が流通する流通空間と、流通空間に沿って形成され流通空間からの気体が流入する第１および第２の流入空間と、第１の流入空間と第１のフィルタとを連通させる第１の開口と、第２の流入空間と第２のフィルタとを連通させる第２の開口と、第１の流入空間および第２の流入空間の間に設けられ第１の流入空間および第２の流入空間を分離する仕切りとを有するものである。
【００２４】
この基板処理装置においては、一方向およびその逆方向に移動可能に設けられる基板搬送装置の上方に、その基板搬送装置に向けて気体を吐出する気体供給装置が設けられる。気体供給装置は、本体部およびその本体部の下面側に設けられる第１および第２のフィルタを有する。第１および第２のフィルタは、上記一方向に平行な方向に沿って設けられる。また、気体供給装置の本体部には、上記一方向に略平行に延びるように形成される流通空間と、その流通空間に沿って形成される第１および第２の流入空間と、第１および第２の開口とが設けられる。
【００２５】
このような構成において、供給源から本体部の流通空間に供給された気体は、第１および第２の流入空間に流入する。そして、第１の流入空間に流入した気体は、第１の開口を通過して第１のフィルタから基板搬送装置に向けて吐出され、第２の流入空間に流入した気体は、第２の開口を通過して第２のフィルタから基板搬送装置に向けて吐出される。
【００２６】
ここで、この気体供給装置においては、第１の流入空間と第２の流入空間との間に仕切りが設けられている。それにより、第１および第２の流入空間において、一方の流入空間から他方の流入空間に気体が流入することを防止することができる。この場合、一方の流入空間から流入する気体により他方の流入空間の気体の流速が上昇することを防止することができる。それにより、第１の流入空間における気体の流速と第２の流入空間における気体の流速とに差が生じることを防止することができる。その結果、第１および第２のフィルタから均一な量の気体を吐出させることができる。
【００２７】
また、この気体供給装置においては、第１および第２のフィルタは、一方向に平行な方向に沿って設けられている。したがって、第１および第２のフィルタから基板搬送装置の移動経路上に気体を均一に供給することができる。
【００２８】
以上の結果、基板搬送装置による基板の搬送時に、基板の周辺の雰囲気の状態が変動することを防止することができる。それにより、基板の状態を安定させることができる。その結果、基板処理装置における基板の高精度な管理が可能になる。
【００２９】
（８）基板処理装置は、流通空間と第１および第２の流入空間との間に設けられ流通空間と第１および第２の流入空間とを連通させる複数のスリットを有するスリット板をさらに備えてもよい。
【００３０】
この場合、流通空間から第１の流入空間に流入する気体の流速と流通空間から第２の流入空間に流入する気体の流速とに差が生じることを容易に防止することができる。それにより、第１の流入空間における気体の流速と第２の流入空間における気体の流速とに差が生じることを容易に防止することができる。その結果、第１および第２のフィルタから均一な量の気体を容易に吐出させることができる。
【００３１】
（９）第１の流入空間は、流通空間の上流側の領域に沿うように形成され、第２の流入空間は、流通空間の下流側の領域に沿うように形成され、第１の流入空間の容積および第２の流入空間の容積は略等しく、複数のスリットは、流通空間と第１の流入空間とを連通させる第１のスリット群および流通空間と第２の流入空間とを連通させる第２のスリット群からなり、第１のスリット群による流通空間と第１の流入空間との間の開口面積は第２のスリット群による流通空間と第２の流入空間との間の開口面積よりも大きくてもよい。
【００３２】
この場合、流通空間から第１の流入空間に流入する気体の流速と流通空間から第２の流入空間に流入する気体の流速とに差が生じることを十分に防止することができる。それにより、第１の流入空間における気体の流速と第２の流入空間における気体の流速とに差が生じることを十分に防止することができる。その結果、第１および第２のフィルタからより均一な量の気体を吐出させることができる。
【００３３】
（１０）第３の発明に係る基板処理装置は、基板に処理を行う処理部と、略水平方向に延びる一方向およびその逆方向に移動可能に設けられ、処理部に基板を搬送する基板搬送装置と、基板搬送装置の上方において基板搬送装置に向けて気体を吐出する気体供給装置と、基板搬送装置の下方に設けられ気体供給装置から吐出された気体を吸入する気体吸入装置とを備え、気体供給装置は、一方向に略平行に延びるように設けられる気体吐出面を有し、気体吸入装置は、一方向に略平行に延びるように設けられる気体吸入部と、気体吸入部に接続される吸引管と、吸引管に接続され気体を吸引する吸引装置とを含み、気体吸入部は、気体吐出面に対向しかつ一方向に略平行な方向に沿って設けられる第１および第２の吸入面と、第１および第２の吸入面にそれぞれ形成される複数の第１および第２の吸入口と、第１および第２の吸入口において吸入された気体が流通する流通空間とを有し、吸引管は第１の吸入面の下方の領域において流通空間に連通するように気体吸入部に接続され、第１の吸入面の面積および第２の吸入面の面積は等しく、第１の吸入面の開口面積が第２の吸入面の開口面積よりも小さくなるように複数の第１および第２の吸入口の大きさおよび数が設定されるものである。
【００３４】
この基板処理装置においては、一方向およびその逆方向に移動可能に設けられる基板搬送装置の上方に、その基板搬送装置に向けて気体を吐出する気体供給装置が設けられる。また、基板搬送装置の下方には、気体供給装置から吐出された気体を吸入する気体吸入装置が設けられる。気体供給装置には、上記一方向に平行に延びるように気体吐出面が設けられる。
【００３５】
また、気体吸入装置には、気体吸入部、吸引管および吸引装置が設けられる。気体吸入部には、第１および第２の吸入面が設けられる。第１および第２の吸入面には、それぞれ複数の第１および第２の吸入口が形成される。また、気体吸入部には、第１および第２の吸入口において吸入された気体が流通する流通空間が設けられる。そして、この流通空間に連通するように気体吸入部に吸引管が接続される。
【００３６】
このような構成において、吸引管に接続される吸引装置により気体が吸引されることにより、気体供給装置から吐出された気体が複数の第１および第２の吸入口において流通空間内に吸入される。
【００３７】
ここで、この基板処理装置においては、気体供給装置の気体吐出面は、基板搬送装置の移動経路（一方向）に略平行に延びるように設けられ、気体吸入装置の第１および第２の吸入面は、基板搬送装置の移動経路（一方向）に略平行な方向に沿って設けられる。また、気体供給装置は基板搬送装置の上方に設けられ、気体吸入装置は基板搬送装置の下方に設けられる。また、気体吐出面と第１および第２の吸入面とは対向するように設けられる。
【００３８】
この場合、気体吐出面から吐出された気体は、基板搬送装置の移動経路上を通過するように鉛直下方に流れた後、第１および第２の吸入面において吸入される。それにより、基板搬送装置の移動経路上に十分に気体を供給することができる。
【００３９】
また、この気体吸入装置においては、気体吸入部と吸引管との接続部上に位置する第１の吸入面の開口面積が第２の吸入面の開口面積よりも小さくなるように複数の第１および第２の吸入口の大きさおよび数が設定される。それにより、第１の吸入面において吸入される気体量と第２の吸入面において吸入される気体量とに差が生じることを防止することができる。
【００４０】
この場合、  気体吐出面から第１の吸入面に向かって流れる気体量と気体吐出面から第２の吸入面に向かって流れる気体量とに差が生じることを防止することができる。したがって、気体吐出面から吐出された気体を基板搬送装置の移動経路上に均一に供給することができる。それにより、基板搬送装置による基板の搬送時に、基板の周辺の雰囲気の状態が変動することを防止することができる。その結果、基板の状態を安定させることができるので、基板処理装置における基板の高精度な管理が可能になる。
【発明の効果】
【００４１】
第１の発明によれば、第１および第２の液処理装置に均一に気体を供給することができる。それにより、第１および第２の液処理装置において均一な液処理が可能になる。
【００４２】
また、第２および第３の発明によれば、基板搬送装置の移動経路上に気体を均一に供給することができる。それにより、基板の搬送時に基板の状態を安定させることができる。その結果、基板処理装置における高精度な管理が可能になる。
【発明を実施するための最良の形態】
【００４３】
以下、本発明の実施の形態に係る気体供給装置を備えた基板処理装置について図面を用いて説明する。なお、以下においては、気体供給装置の一例として給気ユニットについて説明する。また、以下の説明において、基板とは、半導体基板、液晶表示装置用基板、プラズマディスプレイ用基板、フォトマスク用ガラス基板、光ディスク用基板、磁気ディスク用基板、光磁気ディスク用基板、フォトマスク用基板等をいう。
【００４４】
（１）基板処理装置の構成
図１は、本発明の一実施の形態に係る基板処理装置の平面図である。
【００４５】
図１および図２以降の所定の図には、位置関係を明確にするために互いに直交するＸ方向、Ｙ方向およびＺ方向を示す矢印を付している。Ｘ方向およびＹ方向は水平面内で互いに直交し、Ｚ方向は鉛直方向に相当する。なお、各方向において矢印が向かう方向を＋方向、その反対の方向を−方向とする。
【００４６】
図１に示すように、基板処理装置１００は、インデクサブロック１１、塗布ブロック１２、現像ブロック１３およびインターフェイスブロック１４を備える。インターフェイスブロック１４に隣接するように露光装置１５が設けられる。露光装置１５においては、基板に露光処理が行われる。
【００４７】
図１に示すように、インデクサブロック１１は、複数のキャリア載置部１１１および搬送部１１２を含む。各キャリア載置部１１１には、複数の基板Ｗを多段に収納するキャリア１１３が載置される。本実施の形態においては、キャリア１１３としてＦＯＵＰ（front opening unified pod）を採用しているが、これに限定されず、ＳＭＩＦ（Standard Mechanical Inter Face）ポッドまたは収納基板Ｗを外気に曝すＯＣ（open cassette）等を用いてもよい。
【００４８】
搬送部１１２には、制御部１１４および搬送機構１１５が設けられる。制御部１１４は、基板処理装置１００の種々の構成要素を制御する。搬送機構１１５は、基板Ｗを保持するためのハンド１１６を有する。搬送機構１１５は、ハンド１１６により基板Ｗを保持しつつその基板Ｗを搬送する。また、後述の図５に示すように、搬送部１１２には、キャリア１１３と搬送機構１１５との間で基板Ｗを受け渡すための開口１１７が形成される。
【００４９】
図１に示すように、塗布ブロック１２は、塗布処理部１２１、搬送部１２２および熱処理部１２３を含む。塗布処理部１２１および熱処理部１２３は、搬送部１２２を挟んで対向するように設けられる。搬送部１２２とインデクサブロック１１との間には、基板Ｗが載置される基板載置部ＰＡＳＳ１および後述する基板載置部ＰＡＳＳ２〜ＰＡＳＳ４（図５参照）が設けられる。搬送部１２２には、基板Ｗを搬送する搬送機構１２７および後述する搬送機構１２８（図５参照）が設けられる。
【００５０】
現像ブロック１３は、現像処理部１３１、搬送部１３２および熱処理部１３３を含む。現像処理部１３１および熱処理部１３３は、搬送部１３２を挟んで対向するように設けられる。搬送部１３２と搬送部１２２との間には、基板Ｗが載置される基板載置部ＰＡＳＳ５および後述する基板載置部ＰＡＳＳ６〜ＰＡＳＳ８（図５参照）が設けられる。搬送部１３２には、基板Ｗを搬送する搬送機構１３７および後述する搬送機構１３８（図５参照）が設けられる。
【００５１】
インターフェイスブロック１４には、搬送機構１４１，１４２が設けられる。搬送機構１４１は、基板Ｗを保持するためのハンド１４３を有する。搬送機構１４１は、ハンド１４３により基板Ｗを保持しつつその基板Ｗを搬送する。また、搬送機構１４２は、基板Ｗを保持するためのハンド１４４を有する。搬送機構１４２は、ハンド１４４により基板Ｗを保持しつつその基板Ｗを搬送する。
【００５２】
搬送機構１４１と搬送機構１４２との間には、基板Ｗを冷却する機能（例えば、クーリングプレート）を備えた基板載置部ＰＡＳＳ−ＣＰ、後述する基板載置部ＰＡＳＳ１３（図５）および後述する複数のバッファＢＦ（図５）が設けられる。基板載置部ＰＡＳＳ−ＣＰにおいては、基板Ｗが露光処理に適した温度に冷却される。現像ブロック１３内において、熱処理部１３３とインターフェイスブロック１４との間にはパッキン１４５が設けられる。
【００５３】
（２）塗布処理部および現像処理部の構成
図２は、図１の塗布処理部１２１および現像処理部１３１を＋Ｙ方向側から見た図である。また、図３は、図１の塗布処理部１２１、搬送部１２２および熱処理部１２３を−Ｘ方向側から見た図である。
【００５４】
図２および図３に示すように、塗布処理部１２１には、塗布処理室２１，２２，２３，２４が階層的に設けられる。各塗布処理室２１〜２４には、塗布処理ユニット１２９が設けられる。また、図２に示すように、現像処理部１３１には、現像処理室３１，３２，３３，３４が階層的に設けられる。各現像処理室３１〜３４には、現像処理ユニット１３９が設けられる。
【００５５】
各塗布処理ユニット１２９は、基板Ｗを保持するスピンチャック２５およびスピンチャック２５の周囲を覆うように設けられるカップ２７を備える。本実施の形態においては、スピンチャック２５およびカップ２７は、各塗布処理ユニット１２９に２つずつ設けられる。スピンチャック２５は、図示しない駆動装置（例えば、電動モータ）により回転駆動される。
【００５６】
また、図１に示すように、各塗布処理ユニット１２９は、処理液を吐出する複数のノズル２８およびそのノズル２８を搬送するノズル搬送機構２９を備える。
【００５７】
塗布処理ユニット１２９においては、複数のノズル２８のうちのいずれかのノズル２８がノズル搬送機構２９により基板Ｗの上方に移動される。そして、そのノズル２８から処理液が吐出されることにより、基板Ｗ上に処理液が塗布される。なお、ノズル２８から基板Ｗに処理液が供給される際には、図示しない駆動装置によりスピンチャック２５が回転される。それにより、基板Ｗが回転される。
【００５８】
本実施の形態においては、塗布処理室２１および塗布処理室２３の塗布処理ユニット１２９において、反射防止膜用の処理液がノズル２８から基板Ｗに供給される。また、塗布処理室２２および塗布処理室２４の塗布処理ユニット１２９において、レジスト膜用の処理液がノズル２８から基板Ｗに供給される。
【００５９】
図２に示すように、現像処理ユニット１３９は、塗布処理ユニット１２９と同様に、スピンチャック３５およびカップ３７を備える。また、図１に示すように、現像処理ユニット１３９は、現像液を吐出する２つのスリットノズル３８およびそのスリットノズル３８をＸ方向に移動させる移動機構３９を備える。
【００６０】
現像処理ユニット１３９においては、まず、一方のスリットノズル３８がＸ方向に移動しつつ各基板Ｗに現像液を供給する。その後、他方のスリットノズル３８が移動しつつ各基板Ｗに現像液を供給する。なお、スリットノズル３８から基板Ｗに現像液が供給される際には、図示しない駆動装置によりスピンチャック３５が回転される。それにより、基板Ｗが回転される。また、本実施の形態においては、２つのスリットノズル３８から互いに異なる現像液が吐出される。それにより、各基板Ｗに２種類の現像液を供給することができる。
【００６１】
図２に示すように、各塗布処理室２１〜２４において塗布処理ユニット１２９の上方には、各塗布処理室２１〜２４内に清浄な空気を供給するための給気ユニット４１が設けられる。また、図２に示すように、各現像処理室３１〜３４において現像処理ユニット１３９の上方には、給気ユニット４１が設けられる。
【００６２】
また、塗布処理室２１〜２４内において塗布処理ユニット１２９の下部には、カップ２７内の雰囲気を排気するための排気ユニット４２が設けられる。また、現像処理ユニット１３９の下部にも、カップ３７内の雰囲気を排気するための排気ユニット４２が設けられる。
【００６３】
図１および図２に示すように、塗布処理部１２１において現像処理部１３１に隣接するように流体ボックス部５０が設けられる。同様に、現像処理部１３１においてインターフェイスブロック１４に隣接するように流体ボックス部６０が設けられる。流体ボックス部５０および流体ボックス部６０内には、塗布処理ユニット１２９および現像処理ユニット１３９への薬液の供給ならびに塗布処理ユニット１２９および現像処理ユニット１３９からの排液および排気等に関する導管、継ぎ手、バルブ、流量計、レギュレータ、ポンプ、温度調節器等の流体関連機器が収納される。図２には、流体ボックス部５０内に設けられる流通管５１〜５５および流体ボックス部６０内に設けられる流通管６１〜６５が示されている。
【００６４】
図２に示すように、流通管５１の一端側は、塗布処理室２１〜２４の各給気ユニット４１に接続される。流通管５１の他端は、流通管７１の一端側に接続される。流通管７１の他端は、図示しない温調装置に接続されている。その温調装置において温湿度調整された空気は、流通管７１および流通管５１を介して塗布処理室２１〜２４の各給気ユニット４１に供給される。それにより、給気ユニット４１から塗布処理室２１〜２４内に温湿度調整された清浄な空気が供給される。なお、流通管７１には後述する流通管７２および流通管７３が接続される。
【００６５】
また、流通管５２〜５５は、塗布処理室２１〜２４の排気ユニット４２にそれぞれ接続される。塗布処理室２１〜２４内の空気は、各排気ユニット４２および各排気ユニット４２に接続される流通管５２〜５５を介して外部に排出される。それにより、塗布処理室２１〜２４内の雰囲気が適切な温湿度および清浄な状態に維持される。
【００６６】
同様に、流通管６１の一端側は、塗布処理室３１〜３４の各給気ユニット４１に接続される。流通管６１の他端は、流通管７４の一端側に接続される。流通管７４の他端は、上記の温調装置に接続されている。その温調装置において温湿度調整された空気は、流通管７４および流通管６１を介して塗布処理室３１〜３４の各給気ユニット４１に供給される。それにより、給気ユニット４１から塗布処理室３１〜３４内に温湿度調整された清浄な空気が供給される。なお、流通管７４には後述する流通管７５および流通管７６が接続される。
【００６７】
また、流通管６２〜６５は、塗布処理室３１〜３４の排気ユニット４２にそれぞれ接続される。塗布処理室３１〜３４内の空気は、各排気ユニット４２および各排気ユニット４２に接続される流通管６２〜６５を介して外部に排出される。それにより、塗布処理室３１〜３４内の雰囲気が適切な温湿度および清浄な状態に維持される。
【００６８】
また、流通管５１と各給気ユニット４１との接続部には、流量調整ダンパ４６が設けられる。各流量調整ダンパ４６は、流通管５１から各給気ユニット４１に流入する空気の流量を調整する。本実施の形態においては、各給気ユニット４１に流入する空気量が互いに等しくなるように流量調整ダンパ４６が調整される。また、流通管５２〜５４には、それぞれ流量調整ダンパ４７が介挿される。各流量調整ダンパ４７は、流通管５２〜５４内の空気の流量をそれぞれ調整する。本実施の形態においては、流通管５２〜５４内の空気の流量が互いに等しくなるように流量調整ダンパ４７が調整される。
【００６９】
このように、本実施の形態においては、流量調整ダンパ４６により塗布ブロック１２の各給気ユニット４１に供給される空気量が調整されるとともに、流量調整ダンパ４７により塗布ブロック１２の各排気ユニット４２から排出される空気量が調整される。それにより、塗布処理室２１〜２４内の換気条件を互いに等しくすることができる。その結果、塗布処理室２１〜２４における基板Ｗの均一な処理が可能になる。
【００７０】
同様に、流通管６１と各給気ユニット４１との接続部には、流量調整ダンパ４８が設けられる。各流量調整ダンパ４８は、流通管６１から各給気ユニット４１に流入する空気の流量が互いに等しくなるように予め調整される。また、流通管６２〜６４には、それぞれ流量調整ダンパ４９が介挿される。各流量調整ダンパ４９は、流通管６２〜６４内の空気の流量が互いに等しくなるように予め調整される。
【００７１】
このように、本実施の形態においては、流量調整ダンパ４８により現像ブロック１３の各給気ユニット４１に供給される空気量が調整されるとともに、流量調整ダンパ４９により現像ブロック１３の各排気ユニット４２から排出される空気量が調整される。それにより、現像処理室３１〜３４内の換気条件を互いに等しくすることができる。その結果、現像処理室３１〜３４における基板Ｗの均一な処理が可能になる。
【００７２】
（３）熱処理部の構成
図４は、図１の熱処理部１２３，１３３を−Ｙ方向側から見た図である。
【００７３】
図３および図４に示すように、熱処理部１２３は、上方に設けられる上段熱処理部３０１および下方に設けられる下段熱処理部３０２を有する。図４に示すように、上段熱処理部３０１および下段熱処理部３０２には、複数の冷却ユニットＣＰ、複数の熱処理ユニットＰＨＰおよび複数の密着強化処理ユニットＡＨＬが設けられる。冷却ユニットＣＰにおいては、基板Ｗの冷却処理が行われる。熱処理ユニットＰＨＰにおいては、基板Ｗの加熱処理および冷却処理が行われる。密着強化処理ユニットＡＨＬにおいては、基板Ｗと反射防止膜との密着性を向上させるための処理が行われる。なお、密着強化処理ユニットＡＨＬにおいては、基板ＷにＨＭＤＳ（ヘキサメチルジシラサン）等の密着強化剤が塗布される。
【００７４】
熱処理部１３３は、上方に設けられる上段熱処理部３０３および下方に設けられる下段熱処理部３０４を有する。上段熱処理部３０３および下段熱処理部３０４には、複数の冷却ユニットＣＰ、複数の加熱ユニットＨＰ、複数の熱処理ユニットＰＨＰおよびエッジ露光部ＥＥＷが設けられる。エッジ露光部ＥＥＷにおいては、基板Ｗの周縁部の露光処理が行われる。
【００７５】
また、上段熱処理部３０３においてインターフェイスブロック１４に隣接するように基板載置部ＰＡＳＳ９，ＰＡＳＳ１０が設けられ、下段熱処理部３０４においてインターフェイスブロック１４に隣接するように基板載置部ＰＡＳＳ１１，ＰＡＳＳ１２が設けられる。
【００７６】
本実施の形態においては、基板載置部ＰＡＳＳ９および基板載置部ＰＡＳＳ１１には、現像ブロック１３からインターフェイスブロック１４へ搬送される基板Ｗが載置され、基板載置部ＰＡＳＳ１０および基板載置部ＰＡＳＳ１２には、インターフェイスブロック１４から現像ブロック１３へ搬送される基板Ｗが載置される。
【００７７】
図３に示すように、各熱処理ユニットＰＨＰは、加熱処理部１０１および冷却処理部１０２を有する。また、各冷却ユニットＣＰは、冷却処理部１０２を有する。加熱処理部１０１は、例えば、加熱プレートを有し、その加熱プレート上に載置された基板Ｗを加熱する。冷却処理部１０２は、例えば、冷却プレートを有し、その冷却プレート上に載置された基板Ｗを冷却する。
【００７８】
また、図３および図４に示すように、熱処理部１２３には流通管８１が接続される。また、図４に示すように、熱処理部１３３には流通管８２が接続される。熱処理部１２３,１３３内の空気は、流通管８１,８２を介して外部に排出される。
【００７９】
なお、本実施の形態においては、上段搬送室１２５（図３）の給気ユニット４３（図３）から吐出される空気の一部が上段熱処理部３０１内に流入し、下段搬送室１２６（図３）の給気ユニット４３（図３）から吐出される空気の一部が下段熱処理部３０２内に流入する。それにより、上段熱処理部３０１および下段熱処理部３０２内の雰囲気が適切な温湿度および清浄な空気に維持される。
【００８０】
同様に、上段搬送室１３５（図５）の給気ユニット４３（図５）から吐出される空気の一部が上段熱処理部３０３内に流入し、下段搬送室１３６（図５）の給気ユニット４３（図５）から吐出される空気の一部が下段熱処理部３０４内に流入する。それにより、上段熱処理部３０３および下段熱処理部３０４内の雰囲気が適切な温湿度および清浄な空気に維持される。
【００８１】
（４）搬送部の構成
（ａ）概略構成
図５は、図１の搬送部１２２，１３２の構成を説明するための図である。なお、図５は、搬送部１２２，１３２を−Ｙ方向側から見た図である。
【００８２】
図５に示すように、搬送部１２２は、上段搬送室１２５および下段搬送室１２６を有する。また、搬送部１３２は、上段搬送室１３５および下段搬送室１３６を有する。
【００８３】
上段搬送室１２５には搬送機構１２７が設けられ、下段搬送室１２６には搬送機構１２８が設けられる。また、上段搬送室１３５には搬送機構１３７が設けられ、下段搬送室１３６には搬送機構１３８が設けられる。
【００８４】
図３に示すように、塗布処理室２１，２２と上段熱処理部３０１とは上段搬送室１２５を挟んで対向するように設けられ、塗布処理室２３，２４と下段熱処理部３０２とは下段搬送室１２６を挟んで対向するように設けられる。同様に、現像処理室３１，３２（図２）と上段熱処理部３０３（図４）とは上段搬送室１３５（図５）を挟んで対向するように設けられ、現像処理室３３，３４（図２）と下段熱処理部３０４（図４）とは下段搬送室１３６（図５）を挟んで対向するように設けられる。
【００８５】
図５に示すように、搬送部１１２と上段搬送室１２５との間には、基板載置部ＰＡＳＳ１，ＰＡＳＳ２が設けられ、搬送部１１２と下段搬送室１２６との間には、基板載置部ＰＡＳＳ３，ＰＡＳＳ４が設けられる。また、上段搬送室１２５と上段搬送室１３５との間には、基板載置部ＰＡＳＳ５，ＰＡＳＳ６が設けられ、下段搬送室１２６と下段搬送室１３６との間には、基板載置部ＰＡＳＳ７，ＰＡＳＳ８が設けられる。
【００８６】
本実施の形態においては、基板載置部ＰＡＳＳ１および基板載置部ＰＡＳＳ３には、インデクサブロック１１から塗布ブロック１２へ搬送される基板Ｗが載置され、基板載置部ＰＡＳＳ２および基板載置部ＰＡＳＳ４には、塗布ブロック１２からインデクサブロック１１へ搬送される基板Ｗが載置される。
【００８７】
また、基板載置部ＰＡＳＳ５および基板載置部ＰＡＳＳ７には、塗布ブロック１２から現像ブロック１３へ搬送される基板Ｗが載置され、基板載置部ＰＡＳＳ６および基板載置部ＰＡＳＳ８には、現像ブロック１３から塗布ブロック１２へ搬送される基板Ｗが載置される。
【００８８】
図３および図５に示すように、上段搬送室１２５内において搬送機構１２７の上方に給気ユニット４３が設けられ、下段搬送室１２６内において搬送機構１２８の上方に給気ユニット４３が設けられる。また、図５に示すように、上段搬送室１３５内において搬送機構１３７の上方に給気ユニット４３が設けられ、下段搬送室１３６内において搬送機構１３８の上方に給気ユニット４３が設けられる。
【００８９】
また、図３および図５に示すように、上段搬送室１２５内において搬送機構１２７の下方には上段搬送室１２５の排気を行うための排気ユニット４４が設けられ、下段搬送室１２６内において搬送機構１２８の下方には下段搬送室１２６の排気を行うための排気ユニット４４が設けられる。
【００９０】
同様に、図５に示すように、上段搬送室１３５内において搬送機構１３７の下方には上段搬送室１３５の排気を行うための排気ユニット４４が設けられ、下段搬送室１３６内において搬送機構１３８の下方には下段搬送室１３６の排気を行うための排気ユニット４４が設けられる。
【００９１】
図３に示すように、上段搬送室１２５の給気ユニット４３には流通管７２が接続され、下段搬送室１２６の給気ユニット４３には流通管７３が接続される。図２で説明したように、流通管７２,７３は流通管５１とともに流通管７１に接続されている。したがって、上段搬送室１２５および下段搬送室１２６には、塗布処理室２１〜２４に供給される空気と同じ温湿度に調整された空気が供給される。
【００９２】
同様に、上段搬送室１３５（図５）の給気ユニット４３（図５）には流通管７５（図２）が接続され、下段搬送室１３６（図５）の給気ユニット４３（図５）には流通管７６（図２）が接続される。したがって、上段搬送室１３５および下段搬送室１３６には、現像処理室３１〜３４（図２）に供給される空気と同じ温湿度に調整された空気が供給される。
【００９３】
また、図３に示すように、上段搬送室１２５の排気ユニット４４には流通管７７が接続され、下段搬送室１２６の排気ユニット４４には流通管７８が接続される。このような構成により、上段搬送室１２５および下段搬送室１２６内の空気は、各排気ユニット４４および各排気ユニット４４に接続される流通管７７,７８を介して外部に排出される。また、図示していないが、上段搬送室１３５（図５）および下段搬送室１３６（図５）の各排気ユニット４４にも、流通管が接続されている。そして、上段搬送室１３５および下段搬送室１３６内の空気は、各排気ユニット４４および各排気ユニット４４に接続される流通管を介して外部に排出される。
【００９４】
以上の結果、上段搬送室１２５，１３５および下段搬送室１２６，１３６の雰囲気が適切な温湿度および清浄な状態に維持される。
【００９５】
また、図３に示すように、上段搬送室１２５において給気ユニット４３と流通管７２との接続部には、給気ユニット４３に流入する空気の流量を調整する流量調整ダンパ８３が設けられる。同様に、下段搬送室１２６において給気ユニット４３と流通管７３との接続部に流量調整ダンパ８３が設けられる。各流量調整ダンパ８３は、流通管７２から給気ユニット４３に流入する空気の流量と流通管７３から給気ユニット４３に流入する空気の流量とが互いに等しくなるように予め調整される。
【００９６】
また、流通管７７，７８には電動式のファン８４がそれぞれ設けられる。流通管７７，７８による空気の排出量は、ファン８４により調整される。本実施の形態においては、流通管７７内の空気の流量と流通管７８内の空気の流量とが等しくなるようにファン８４が調整される。
【００９７】
このように、本実施の形態においては、流量調整ダンパ８３により搬送部１２２の各給気ユニット４３に供給される空気量が調整されるとともに、ファン８４により、搬送部１２２の各排気ユニット４４から排出される空気量が調整される。それにより、上段搬送室１２５の換気条件および下段搬送室１２６の換気条件を互いに等しくすることができる。その結果、上段搬送室１２５内の基板Ｗの状態と下段搬送室１２６内の基板Ｗの状態とに差が生じることを防止することができる。
【００９８】
なお、図示しないが、搬送部１３２の各給気ユニット４３にも同様に流量調整ダンパ８３が設けられる。また、搬送部１３２の各排気ユニット４４にも同様に流通管７７，７８およびファン８４が接続される。それにより、上段搬送室１３５の換気条件および下段搬送室１３６の換気条件を互いに等しくすることができる。その結果、上段搬送室１３５内の基板Ｗの状態と下段搬送室１３６内の基板Ｗの状態とに差が生じることを防止することができる。
【００９９】
（ｂ）搬送機構の構成
次に、搬送機構１２７について説明する。図６は、搬送機構１２７を示す斜視図である。
【０１００】
図５および図６に示すように、搬送機構１２７は、長尺状のガイドレール３１１，３１２を備える。図５に示すように、ガイドレール３１１は、上段搬送室１２５内において上下方向に延びるように搬送部１１２側に固定される。ガイドレール３１２は、上段搬送室１２５内において上下方向に延びるように上段搬送室１３５側に固定される。
【０１０１】
図５および図６に示すように、ガイドレール３１１とガイドレール３１２との間には、長尺状のガイドレール３１３が設けられる。ガイドレール３１３は、上下動可能にガイドレール３１１，３１２に取り付けられる。ガイドレール３１３に移動部材３１４が取り付けられる。移動部材３１４は、ガイドレール３１３の長手方向に移動可能に設けられる。
【０１０２】
移動部材３１４の上面には、長尺状の回転部材３１５が回転可能に設けられる。回転部材３１５には、基板Ｗを保持するためのハンドＨ１およびハンドＨ２が取り付けられる。ハンドＨ１，Ｈ２は、回転部材３１５の長手方向に移動可能に設けられる。
【０１０３】
上記のような構成により、搬送機構１２７は、上段搬送室１２５内においてＸ方向およびＺ方向に自在に移動することができる。また、ハンドＨ１，Ｈ２を用いて塗布処理室２１，２２（図２）、基板載置部ＰＡＳＳ１，ＰＡＳＳ２，ＰＡＳＳ５，ＰＡＳＳ６（図５）および上段熱処理部３０１（図４）に対して基板Ｗの受け渡しを行うことができる。
【０１０４】
なお、図５に示すように、搬送機構１２８，１３７，１３８は搬送機構１２７と同様の構成を有する。
【０１０５】
（５）インターフェイスブロックの構成
図７は、インターフェイスブロック１４の内部構成を示す図である。なお、図７は、インターフェイスブロック１４を＋Ｘ方向側から見た図である。
【０１０６】
図７に示すように、インターフェイスブロック１４の略中央部に２つのバッファＢＦ、基板載置部ＰＡＳＳ１３および基板載置部ＰＡＳＳ−ＣＰが階層的に設けられる。また、基板載置部ＰＡＳＳ−ＣＰの−Ｙ方向側に搬送機構１４１が設けられ、基板載置部ＰＡＳＳ−ＣＰの＋Ｙ方向側に搬送機構１４２が設けられる。
【０１０７】
本実施の形態においては、基板載置部ＰＡＳＳ−ＣＰに露光処理前の基板Ｗが載置され、基板載置部ＰＡＳＳ１３に露光処理後の基板Ｗが載置される。
【０１０８】
また、図５および図７に示すように、インターフェイスブロック１４内の上部には、給気ユニット４５が設けられる。給気ユニット４５には、図示しない温調装置から温湿度調整された空気が供給される。それにより、給気ユニット４５からインターフェイスブロック１４内に温湿度調整された清浄な空気が供給される。その結果、インターフェイスブロック１４内の雰囲気が適切な温湿度および清浄な状態に維持される。
【０１０９】
（６）基板処理装置の各構成要素の動作
以下、本実施の形態に係る基板処理装置１００の各構成要素の動作について説明する。
【０１１０】
（６−１）インデクサブロック１１の動作
以下、図１および図５を主に用いてインデクサブロック１１の動作を説明する。
【０１１１】
本実施の形態に係る基板処理装置１００においては、まず、インデクサブロック１１のキャリア載置部１１１に、未処理の基板Ｗが収容されたキャリア１１３が載置される。搬送機構１１５は、そのキャリア１１３から１枚の基板Ｗを取り出し、その基板Ｗを基板載置部ＰＡＳＳ１に搬送する。その後、搬送機構１１５はキャリア１１３から他の１枚の未処理の基板Ｗを取り出し、その基板Ｗを基板載置部ＰＡＳＳ３（図５）に搬送する。
【０１１２】
なお、基板載置部ＰＡＳＳ２に処理済みの基板Ｗが載置されている場合には、搬送機構１１５は、基板載置部ＰＡＳＳ１に未処理の基板Ｗを搬送した後、基板載置部ＰＡＳＳ２からその処理済みの基板Ｗを取り出す。そして、搬送機構１１５は、その処理済みの基板Ｗをキャリア１１３に搬送する。同様に、基板載置部ＰＡＳＳ４に処理済みの基板Ｗが載置されている場合には、搬送機構１１５は、基板載置部ＰＡＳＳ３に未処理の基板Ｗを搬送した後、基板載置部ＰＡＳＳ４からその処理済みの基板Ｗを取り出す。そして、搬送機構１１５は、その処理済み基板Ｗをキャリア１１３へ搬送するとともにキャリア１１３に収容する。
【０１１３】
（６−２）塗布ブロック１２の動作
以下、図１、図２、図４および図５を主に用いて塗布ブロック１２の動作について説明する。なお、以下においては、簡便のため、搬送機構１２７のＸ方向およびＺ方向の移動の説明は省略する。
【０１１４】
搬送機構１１５（図５）により基板載置部ＰＡＳＳ１（図５）に載置された基板Ｗは、搬送機構１２７（図５）のハンドＨ１により取り出される。また、搬送機構１２７は、ハンドＨ２に保持されている基板Ｗを基板載置部ＰＡＳＳ２に載置する。なお、ハンドＨ２から基板載置部ＰＡＳＳ２に載置される基板Ｗは、現像処理後の基板Ｗである。
【０１１５】
次に、搬送機構１２７は、ハンドＨ２により上段熱処理部３０１（図４）の所定の冷却ユニットＣＰ（図４）から冷却処理後の基板Ｗを取り出す。また、搬送機構１２７は、ハンドＨ１に保持されている未処理の基板Ｗをその冷却ユニットＣＰに搬入する。冷却ユニットＣＰにおいては、反射防止膜形成に適した温度に基板Ｗが冷却される。
【０１１６】
次に、搬送機構１２７は、ハンドＨ１により塗布処理室２１（図２）のスピンチャック２５（図２）上から反射防止膜形成後の基板Ｗを取り出す。また、搬送機構１２７は、ハンドＨ２に保持されている冷却処理後の基板Ｗをそのスピンチャック２５上に載置する。塗布処理室２１においては、塗布処理ユニット１２９（図２）により、基板Ｗ上に反射防止膜が形成される。
【０１１７】
次に、搬送機構１２７は、ハンドＨ２により上段熱処理部３０１の所定の熱処理ユニットＰＨＰから熱処理後の基板Ｗを取り出す。また、搬送機構１２７は、ハンドＨ１に保持されている反射防止膜形成後の基板Ｗをその熱処理ユニットＰＨＰ（図４）に搬入する。熱処理ユニットＰＨＰにおいては、加熱処理部１０１（図３）および冷却処理部１０２（図３）により基板Ｗの加熱処理および冷却処理が連続的に行われる。
【０１１８】
次に、搬送機構１２７は、ハンドＨ１により上段熱処理部３０１（図４）の所定の冷却ユニットＣＰ（図４）から冷却処理後の基板Ｗを取り出す。また、搬送機構１２７は、ハンドＨ２に保持されている熱処理後の基板Ｗをその冷却ユニットＣＰに搬入する。冷却ユニットＣＰにおいては、レジスト膜形成処理に適した温度に基板Ｗが冷却される。
【０１１９】
次に、搬送機構１２７は、ハンドＨ２により塗布処理室２２（図２）のスピンチャック２５（図２）からレジスト膜形成後の基板Ｗを取り出す。また、搬送機構１２７は、ハンドＨ１に保持されている冷却処理後の基板Ｗをそのスピンチャック２５上に載置する。塗布処理室２２においては、塗布処理ユニット１２９（図２）により、基板Ｗ上にレジスト膜が形成される。
【０１２０】
次に、搬送機構１２７は、ハンドＨ２に保持されているレジスト膜形成後の基板Ｗを基板載置部ＰＡＳＳ５（図５）に載置するとともに、そのハンドＨ２により基板載置部ＰＡＳＳ６（図５）から現像処理後の基板Ｗを取り出す。その後、搬送機構１２７は、基板載置部ＰＡＳＳ６から取り出した現像処理後の基板Ｗを基板載置部ＰＡＳＳ２（図５）に搬送する。
【０１２１】
搬送機構１２７が上記の処理を繰り返すことにより、塗布ブロック１２内において複数の基板Ｗに所定の処理が連続的に行われる。
【０１２２】
搬送機構１２８は、搬送機構１２７と同様の動作により、基板載置部ＰＡＳＳ３，ＰＡＳＳ４，ＰＡＳＳ７，ＰＡＳＳ８（図５）、塗布処理室２３，２４（図２）および下段熱処理部３０２（図４）に対して基板Ｗの搬入および搬出を行う。
【０１２３】
このように、本実施の形態においては、搬送機構１２７によって搬送される基板Ｗは、塗布処理室２１，２２および上段熱処理部３０１において処理され、搬送機構１２８によって搬送される基板Ｗは、塗布処理室２３，２４および下段熱処理部３０２において処理される。この場合、複数の基板Ｗの処理を上方の処理部（塗布処理室２１，２２および上段熱処理部３０１）および下方の処理部（塗布処理室２３，２４および下段熱処理部３０２）において同時に処理することができる。それにより、搬送機構１２７,１２８による基板Ｗの搬送速度を速くすることなく、塗布ブロック１２のスループットを向上させることができる。また、搬送機構１２７,１２８が上下に設けられているので、基板処理装置１００のフットプリントが増加することを防止することができる。
【０１２４】
（６−３）現像ブロック１３の動作
以下、図１、図２、図４および図５を主に用いて現像ブロック１３の動作について説明する。なお、以下においては、簡便のため、搬送機構１３７のＸ方向およびＺ方向の移動の説明は省略する。
【０１２５】
搬送機構１２７により基板載置部ＰＡＳＳ５（図５）に載置された基板Ｗは、搬送機構１３７（図５）のハンドＨ１により取り出される。また、搬送機構１３７は、ハンドＨ２に保持されている基板Ｗを基板載置部ＰＡＳＳ６に載置する。なお、ハンドＨ２から基板載置部ＰＡＳＳ６に載置される基板Ｗは、現像ブロック１３における処理が終了した基板Ｗである。
【０１２６】
次に、搬送機構１３７は、ハンドＨ２により上段熱処理部３０３（図４）のエッジ露光部ＥＥＷからエッジ露光処理後の基板Ｗを取り出す。また、搬送機構１３７は、ハンドＨ１に保持されているレジスト膜形成後の基板Ｗをエッジ露光部ＥＥＷに搬入する。エッジ露光部ＥＥＷにおいては、基板Ｗの周縁部の露光処理が行われる。
【０１２７】
次に、搬送機構１３７は、ハンドＨ２に保持されているエッジ露光処理後の基板Ｗを基板載置部ＰＡＳＳ９（図４）に載置するとともに、そのハンドＨ２により基板載置部ＰＡＳＳ１０（図４）から露光処理後の基板Ｗを取り出す。なお、基板載置部ＰＡＳＳ１０から取り出される基板Ｗは、露光装置１５における露光処理が終了した基板Ｗである。
【０１２８】
次に、搬送機構１３７は、ハンドＨ１により上段熱処理部３０３（図４）の所定の冷却ユニットＣＰ（図４）から冷却処理後の基板Ｗを取り出す。また、搬送機構１３７は、ハンドＨ２に保持されている露光処理後の基板Ｗをその冷却ユニットＣＰに搬入する。
【０１２９】
次に、搬送機構１３７は、ハンドＨ２により現像処理室３１（図２）または現像処理室３２（図２）のスピンチャック３５（図２）から現像処理後の基板Ｗを取り出す。また、搬送機構１３７は、ハンドＨ１に保持されている冷却処理後の基板Ｗをそのスピンチャック２５上に載置する。現像処理室３１，３２においては、現像処理ユニット１３９により基板Ｗの現像処理が行われる。
【０１３０】
次に、搬送機構１３７は、ハンドＨ１により上段熱処理部３０３（図４）の所定の加熱ユニットＨＰから加熱処理後の基板Ｗを取り出す。また、搬送機構１３７は、ハンドＨ２に保持されている現像処理後の基板Ｗを加熱ユニットＨＰに搬入する。加熱ユニットＨＰにおいては、基板Ｗの加熱処理が行われる。
【０１３１】
次に、搬送機構１３７は、ハンドＨ２により上段熱処理部３０３（図４）の所定の冷却ユニットＣＰから冷却処理後の基板Ｗを取り出す。また、搬送機構１３７は、ハンドＨ１に保持されている基板Ｗをその冷却ユニットＣＰに搬入する。その後、搬送機構１３７は、冷却ユニットＣＰから取り出した基板Ｗを基板Ｗ基板載置部ＰＡＳＳ６（図５）に搬送する。
【０１３２】
搬送機構１３７が上記の処理を繰り返すことにより、現像ブロック１３内において複数の基板Ｗに所定の処理が連続的に行われる。
【０１３３】
搬送機構１３８は、搬送機構１３７と同様の動作により、基板載置部ＰＡＳＳ７，ＰＡＳＳ８（図５）、基板載置部ＰＡＳＳ１１，ＰＡＳＳ１２（図４）、塗布処理室３３，３４（図２）および下段熱処理部３０４（図４）に対して基板Ｗの搬入および搬出を行う。
【０１３４】
このように、本実施の形態においては、搬送機構１３７によって搬送される基板Ｗは、現像処理室３１，３２および上段熱処理部３０３において処理され、搬送機構１３８によって搬送される基板Ｗは、現像処理室３３，３４および下段熱処理部３０４において処理される。この場合、複数の基板Ｗの処理を上方の処理部（現像処理室３１，３２および上段熱処理部３０３）および下方の処理部（現像処理室３３，３４および下段熱処理部３０４）において同時に処理することができる。それにより、搬送機構１３７,１３８による基板Ｗの搬送速度を速くすることなく、現像ブロック１３のスループットを向上させることができる。また、搬送機構１３７,１３８が上下に設けられているので、基板処理装置１００のフットプリントが増加することを防止することができる。
【０１３５】
（６−４）インターフェイスブロック１４の動作
以下、図７を主に用いてインターフェイスブロック１４の動作について説明する。
【０１３６】
まず、搬送機構１４１の動作について説明する。搬送機構１３７（図５）により基板載置部ＰＡＳＳ９に載置された露光処理前（エッジ露光後）の基板Ｗは、搬送機構１４１により取り出され、基板載置部ＰＡＳＳ−ＣＰに搬送される。基板載置部ＰＡＳＳ−ＣＰにおいては、露光装置１５（図１）における露光処理に適した温度に基板Ｗが冷却される。
【０１３７】
その後、搬送機構１４１は、基板載置部ＰＡＳＳ１３に載置されている露光処理後の基板Ｗを取り出し、その基板Ｗを現像ブロック１３（図５）の上段熱処理部３０３の所定の熱処理ユニットＰＨＰに搬送する。熱処理ユニットＰＨＰにおいては、露光処理後の基板Ｗに熱処理が行われる。
【０１３８】
次に、搬送機構１４１は、上段熱処理部３０３の他の熱処理ユニットＰＨＰから熱処理済みの基板Ｗを取り出し、その基板Ｗを基板載置部ＰＡＳＳ１０に載置する。基板載置部ＰＡＳＳ１０に載置された基板Ｗは、上述したように、現像ブロック１３（図５）の搬送機構１３７（図５）により取り出される。これにより、露光処理後の基板Ｗのインターフェイスブロック１４から現像ブロック１３への受け渡しが完了する。
【０１３９】
次に、搬送機構１４１は、搬送機構１３８（図５）により基板載置部ＰＡＳＳ１１に載置された露光処理前（エッジ露光後）の基板Ｗを取り出し、その基板Ｗを基板載置部ＰＡＳＳ−ＣＰに搬送する。その後、搬送機構１４１は、基板載置部ＰＡＳＳ１３に載置されている露光処理後の基板Ｗを取り出し、その基板Ｗを現像ブロック１３（図５）の下段熱処理部３０４の所定の熱処理ユニットＰＨＰに搬送する。
【０１４０】
次に、搬送機構１４１は、下段熱処理部３０４の他の熱処理ユニットＰＨＰから熱処理済みの基板Ｗを取り出し、その基板Ｗを基板載置部ＰＡＳＳ１２に載置する。基板載置部ＰＡＳＳ１２に載置された基板Ｗは、現像ブロック１３（図５）の搬送機構１３８（図５）により取り出される。これにより、露光処理後の基板Ｗのインターフェイスブロック１４から現像ブロック１３への受け渡しが完了する。
【０１４１】
搬送機構１４１は、上記の動作を繰り返す。それにより、インターフェイスブロック１４と上段熱処理部３０３との間での基板Ｗの受け渡しおよびインターフェイスブロック１４と下段熱処理部３０４との間での基板Ｗの受け渡しが交互に行われる。
【０１４２】
ここで、本実施の形態においては、キャリア１１３（図５）に収容されている基板Ｗは、搬送機構１１５（図５）により基板載置部ＰＡＳＳ１，ＰＡＳＳ３（図２）に交互に搬送される。また、塗布処理室２１，２２（図２）および上段熱処理部３０１（図４）における基板Ｗの処理速度と、塗布処理室２３，２４（図２）および下段熱処理部３０２（図４）における基板Ｗの処理速度とは略等しい。また、搬送機構１２７（図５）の動作速度と搬送機構１２８（図５）の動作速度とは略等しい。また、現像処理室３１，３２（図２）および上段熱処理部３０３（図４）における基板Ｗの処理速度と、現像処理室３３，３４（図２）および下段熱処理部３０４（図４）における基板Ｗの処理速度とは略等しい。また、搬送機構１３７（図５）の動作速度と搬送機構１３８（図５）の動作速度とは略等しい。
【０１４３】
したがって、上記のように上段熱処理部３０３および下段熱処理部３０４から基板載置部ＰＡＳＳ−ＣＰに基板Ｗが交互に搬送されることにより、キャリア１１３から基板処理装置１００に搬入される基板Ｗの順序と、現像ブロック１３（図５）から基板載置部ＰＡＳＳ−ＣＰに搬送される基板Ｗの順序とが一致する。この場合、基板処理装置１００における各基板Ｗの処理履歴の管理が容易になる。
【０１４４】
なお、バッファＢＦは、基板載置部ＰＡＳＳ９，ＰＡＳＳ１１から基板載置部ＰＡＳＳ−ＣＰへ基板Ｗを交互に搬送することができない場合に用いられる。具体的には、例えば、塗布処理室２１，２２（図２）の塗布処理ユニット１２９（図２）に不具合が発生することにより基板載置部ＰＡＳＳ９への基板Ｗの搬送が停止されている場合にバッファＢＦが用いられる。この場合、搬送機構１４１は、基板載置部ＰＡＳＳ９に基板Ｗが搬送されるまで、基板載置部ＰＡＳＳ１１に載置された基板ＷをバッファＢＦに搬送する。そして、基板載置部ＰＡＳＳ９への基板Ｗの搬送が再開された場合には、搬送機構１４１は、基板載置部ＰＡＳＳ９から基板載置部ＰＡＳＳ−ＣＰへの基板Ｗの搬送およびバッファＢＦから基板載置部ＰＡＳＳ−ＣＰへの基板Ｗの搬送を交互に行う。それにより、キャリア１１３から基板処理装置１００に搬入される基板Ｗの順序と、現像ブロック１３から基板載置部ＰＡＳＳ−ＣＰに搬送される基板Ｗの順序とを一致させることができる。なお、基板載置部ＰＡＳＳ１１への基板Ｗの搬送が停止されている場合には、搬送機構１４１は、基板載置部ＰＡＳＳ１１への基板Ｗの搬送が再開されるまで、基板載置部ＰＡＳＳ９に載置された基板ＷをバッファＢＦに搬送する。
【０１４５】
次に、搬送機構１４２の動作について説明する。
【０１４６】
搬送機構１４１により基板載置部ＰＡＳＳ−ＣＰに載置された基板Ｗは、所定の温度に冷却された後、搬送機構１４２により取り出される。搬送機構１４２は、その基板Ｗを露光装置１５（図１）に搬入する。
【０１４７】
次に、搬送機構１４２は、露光装置１５から露光処理後の基板Ｗを搬出し、その基板Ｗを基板載置部ＰＡＳＳ１３に載置する。基板載置部ＰＡＳＳ１３に載置された基板Ｗは、上述したように、搬送機構１４１により熱処理ユニットＰＨＰへ搬送される。
【０１４８】
搬送機構１４２は上記の処理を繰り返す。ここで、上述したように搬送機構１４１によって基板載置部ＰＡＳＳ−ＣＰに載置される基板Ｗの順序は、キャリア１１３（図５）から基板処理装置１００に搬入される基板Ｗの順序に等しい。それにより、キャリア１１３から基板処理装置１００に搬入される基板Ｗの順序と、搬送機構１４２により露光装置１５に搬入される基板Ｗの順序とを一致させることができる。それにより、露光装置１５における各基板Ｗの処理履歴の管理が容易になる。また、一のキャリア１１３から基板処理装置１００に搬入された複数の基板Ｗ間において、露光処理の状態にばらつきが生じることを防止することができる。
【０１４９】
（７）給気ユニット４１の構成
次に、給気ユニット４１の構成について詳細に説明する。
【０１５０】
図８は、各塗布処理室２１〜２４（図２）に設けられる給気ユニット４１を示す概略図である。なお、図８において（ａ）は、給気ユニット４１の側面図であり、（ｂ）は、（ａ）のＡ−Ａ線断面図である。
【０１５１】
図８に示すように、給気ユニット４１は、箱状の空気流通部９１、その空気流通部９１の下面に設けられる流量調整板９２，９３およびその流量調整板９２，９３の下面に設けられるフィルタ装置９４，９５を含む。フィルタ装置９４，９５としては、例えば、ＵＬＰＡ（Ｕｌｔｒａ  Ｌｏｗ  Ｐｅｎｅｔｒａｔｉｏｎ  Ａｉｒ）フィルタを用いることができる。
【０１５２】
空気流通部９１の一端側に流通管５１が接続される。それにより、空気流通部９１の内部空間と流通管５１の内部空間とが連通される。流量調整ダンパ４６は、流通管５１と空気流通部９１との接続部に設けられる。
【０１５３】
図８（ｂ）に示すように、空気流通部９１の下面の一端側（流通管５１側）に正方形の開口９１２が形成され、空気流通部９１の下面の他端側に正方形の開口９１３が形成される。開口９１２は、塗布処理ユニット１２９の一方のカップ２７の上方に形成され、開口９１３は他方のカップ２７の上方に形成される。なお、本実施の形態においては、開口９１２のＸＹ平面における面積と開口９１３のＸＹ平面における面積は等しい。
【０１５４】
流量調整板９２は、開口９１２を塞ぐように空気流通部９１の下面側に取り付けられ、流量調整板９３は、開口９１３を塞ぐように空気流通部９１の下面側に取り付けられる。流量調整板９２，９３には、複数の貫通孔９６がそれぞれ形成される。流通管５１から空気流通部９１内に流入した空気は、複数の貫通孔９６（図８（ｂ））およびフィルタ装置９４，９５（図８（ａ））を通過して各塗布処理室２１〜２４内に流入する。
【０１５５】
ここで、流量調整板９２，９３の上面には、それぞれ複数（本実施の形態においては３本）の断面四角形状の気流調整部材９７が設けられる。本実施の形態においては、気流調整部材９７は棒状の形状を有し、Ｙ方向に延びるように設けられる。この複数の気流調整部材９７は、流通管５１から空気流通部９１内に流入した空気が空気流通部９１内を−Ｘ方向に向かって直進することを防止する。
【０１５６】
この場合、空気流通部９１内において流量調整板９２上と流量調整板９３上とで空気の流速に差が生じることを防止することができる。それにより、流量調整板９２の複数の貫通孔９６を通過する空気の量と流量調整板９３の複数の貫通孔９６を通過する空気の量とに差が生じることを防止することができる。したがって、フィルタ装置９４の下方のカップ２７およびフィルタ装置９５の下方のカップ２７に同等の量の空気を供給することができる。その結果、２つのカップ２７において基板Ｗを均一に処理することが可能になる。
【０１５７】
なお、流量調整板９２に形成される複数の貫通孔９６の合計の面積が、流量調整板９３に形成される複数の貫通孔９６の合計の面積よりも大きいことが好ましい。すなわち、空気流通部９１内の上流側（流通管５１側）に配置される流量調整板９２の開口面積が下流側に配置される流量調整板９３の開口面積よりも大きいことが好ましい。
【０１５８】
この場合、流量調整板９２の複数の貫通孔９６を通過する空気の量と流量調整板９３の複数の貫通孔９６を通過する空気の量とに差が生じることを十分に防止することができる。それにより、塗布処理ユニット１２９の２つのカップ２７に均一に空気を供給することができる。その結果、塗布処理ユニット１２９における基板Ｗのより均一な処理が可能になる。
【０１５９】
本実施の形態においては、例えば、流量調整板９２に形成される複数の貫通孔９６の合計の面積は開口９１２の面積の６０〜８０％の大きさに設定され、流量調整板９３に形成される複数の貫通孔９６の合計の面積は開口９１３の面積の５〜１０％の大きさに設定される。
【０１６０】
なお、流量調整板９２に形成される複数の貫通孔９６の合計の面積および流量調整板９３に形成される複数の貫通孔９６の合計の面積は、貫通孔９６の数によって調整してもよく、貫通孔９６の直径によって調整してもよい。
【０１６１】
また、気流調整部材９７のＺ方向における高さは、空気流通部９１の内部空間のＺ方向における高さの２０％〜３０％に設定されることが好ましい。
【０１６２】
なお、上記においては、各塗布処理室２１〜２４に設けられる給気ユニット４１について説明したが、各現像処理室３１〜３４に設けられる給気ユニット４１も同様の構成を有する。したがって、本実施の形態においては、現像処理ユニット１３９（図２）においても、２つのカップ３７において基板Ｗを均一に処理することができる。
【０１６３】
なお、気流調整部材９７によって空気流通部９１内の空気の流速を十分に安定させることができる場合には、流量調整板９２，９３が設けられなくてもよい。
【０１６４】
（８）給気ユニット４３の構成
次に、給気ユニット４３の構成について説明する。
【０１６５】
図９は、上段搬送室１２５（図５）に設けられる給気ユニット４３を示す概略図である。なお、図９において、（ａ）は、給気ユニット４３の側面図であり、（ｂ）は、（ａ）のＡ−Ａ線断面図である。
【０１６６】
図９に示すように、給気ユニット４３は、箱状の空気流通部２０１およびその空気流通部２０１の下面に設けられるフィルタ装置２０２，２０３を含む。フィルタ装置２０２，２０３としては、例えば、ＵＬＰＡフィルタを用いることができる。なお、空気流通部２０１は、移動部材３１４の移動経路上に設けられる。
【０１６７】
図９（ｂ）に示すように、空気流通部２０１内には、スリット板２０４が設けられる。空気流通部２０１内は、スリット板２０４により流通空間２０５および流入空間２０６に分割される。空気流通部２０１の一端側には、流通空間２０５と連通するように流通管７２が接続される。スリット板２０４には、複数（本実施の形態においては８つ）のスリット２０７が等間隔で形成されている。また、スリット板２０４には、複数の移動板７０１がＸ方向に移動可能に設けられている。本実施の形態においては、各移動板７０１を移動させることにより、各スリット２０７の大きさを調整することができる。
【０１６８】
空気流通部２０１内において流入空間２０６には、仕切り板２０８が設けられる。仕切り板２０８は、流入空間２０６のＸ方向における中央部に設けられる。流入空間２０６は、仕切り板２０８により第１の流入空間６０１および第２の流入空間６０２に分割される。本実施の形態においては、第１の流入空間６０１の容積および第２の流入空間６０２の容積は等しい。
【０１６９】
空気流通部２０１において第１の流入空間６０１の下方には開口２０９が形成され、空気流通部２０１において第２の流入空間６０２の下方には開口２１０が形成される。なお、本実施の形態においては、開口２０９のＸＹ平面における面積と開口２１０のＸＹ平面における面積とは等しい。
【０１７０】
フィルタ装置２０２は、開口２０９を塞ぐように空気流通部２０１の下面側に取り付けられ、フィルタ装置２０３は、開口２１０を塞ぐように空気流通部２０１の下面側に取り付けられる。流通管７２から流通空間２０５に流入した空気は、スリット板２０４の複数のスリット２０７を通過して第１の流入空間６０１および第２の流入空間６０２に流入した後、フィルタ装置２０２，２０３から上段搬送室１２５に供給される。
【０１７１】
ここで、本実施の形態においては、仕切り板２０８により第１の流入空間６０１から第２の流入空間６０２に空気が流入することを防止することができる。それにより、第１の流入空間６０１における空気の流速に比べて第２の流入空間６０２における空気の流速が速くなることを防止することができる。
【０１７２】
この場合、フィルタ装置２０２を介して上段搬送室１２５（図５）に供給される空気量とフィルタ装置２０３を介して上段搬送室１２５に供給される空気量とに差が生じることを防止することができる。したがって、移動部材３１４の移動経路上に均一に空気を供給することが可能となる。それにより、上段搬送室１２５内において基板Ｗが搬送される際に基板Ｗの周辺の温湿度が変化することを防止することができる。その結果、基板Ｗの高精度な処理が可能となる。
【０１７３】
また、本実施の形態においては、流通空間２０５と第１の流入空間６０１とを連通させる複数のスリット２０７の合計の面積が流通空間２０５と第２の流入空間６０２とを連通させる複数のスリット２０７の合計の面積よりも大きくなるように、複数の移動板７０１が設定される。
【０１７４】
この場合、第１の流入空間６０１における空気の流速に比べて第２の流入空間６０２における空気の流速が速くなることを十分に防止することができる。それにより、第１の流入空間６０１における空気の流速および第２の流入空間６０２における空気の流速を均一化することができる。その結果、基板処理装置１００における基板Ｗの処理性能をさらに向上させることができる。
【０１７５】
なお、本実施の形態においては、流通空間２０５と第１の流入空間６０１とを連通させる複数のスリット２０７の合計の面積と流通空間２０５と第２の流入空間６０２とを連通させる複数のスリット２０７の合計の面積との比が、例えば、１０：８に設定される。
【０１７６】
なお、上記においては、上段搬送室１２５に設けられる給気ユニット４３について説明したが、下段搬送室１２６、上段搬送室１３５および下段搬送室１３６に設けられる給気ユニット４３も同様の構成を有する。
【０１７７】
（９）排気ユニット４４の構成
次に、排気ユニット４４の構成について説明する。
【０１７８】
図１０は、上段搬送室１２５（図５）に設けられる排気ユニット４４を示す概略図である。なお、図１０において、（ａ）は、排気ユニット４４の側面図であり、（ｂ）は、排気ユニット４４の上面図である。
【０１７９】
図１０に示すように、排気ユニット４４は、箱状の空気流入部４００を有する。空気流入部４００と図９の空気流通部２０１とは、搬送機構１２７（図９（ａ））を挟んで対向するように設けられる。
【０１８０】
図１０（ａ）に示すように、空気流入部４００の下面の一端側に流通管７７が接続される。より具体的には、図１０（ｂ）に示すように、流通管７７は、空気流入部４００の下面の角部に接続される。
【０１８１】
空気流入部４００の上面には、一端側から順に第１領域４０１、第２領域４０２および第３領域４０３が設けられる。第１領域４０１〜第３領域４０３の面積は略等しい。
【０１８２】
空気流入部４００の上面には、空気流入部４００の外部と内部空間とを連通させる複数の貫通孔４０４が形成される。本実施の形態においては、第１領域４０１〜第３領域４０３にそれぞれ同数の貫通孔４０４が形成される。なお、第１領域４０１内において複数の貫通孔４０４は互いに等間隔に配置されている。同様に、第２領域４０２および第３領域４０３内において複数の貫通孔は互いに等間隔に配置されている。
【０１８３】
上記のような構成において、ファン８４（図３）が駆動されることにより、上段搬送室１２５（図５）内の空気が貫通孔４０４から空気流入部４００内に吸入される。空気流入部４００内に吸入された空気は、流通管７７を介して外部に排出される。
【０１８４】
ここで、上述したように、流通管７７は空気流入部４００の一端側、すなわち第１領域４０１の下方に接続される。この場合、第１領域４０１内の貫通孔４０４における空気の吸引力が、第２領域４０２および第３領域４０３内の貫通孔４０４における空気の吸引力よりも大きくなると考えられる。
【０１８５】
そこで、本実施の形態においては、第１領域４０１内の貫通孔４０４の直径が第２領域４０２および第３領域４０３内の貫通孔４０４の直径に比べて小さくなるように複数の貫通孔４０４が形成される。この場合、第１領域４０１において吸入される空気量、第２領域４０２において吸入される空気量および第３領域４０３において吸入される空気量に差が生じることを防止することができる。すなわち、空気流入部４００の上面の全域において空気を略均一に吸入することが可能になる。それにより、上段搬送室１２５内において基板Ｗが搬送される際に基板Ｗの周辺の温湿度が変化することを防止することができる。その結果、基板Ｗの高精度な処理が可能となる。
【０１８６】
なお、本実施の形態においては、例えば、第１領域４０１内の貫通孔４０４の直径が４．５ｍｍに設定され、第２領域４０２および第３領域４０３内の貫通孔４０４の直径が５．０ｍｍに設定される。
【０１８７】
（１０）本実施の形態の効果
（ａ）本実施の形態においては、各給気ユニット４１の空気流通部９１内において、流量調整板９２および流量調整板９３上にそれぞれ気流調整部材９７が設けられている。それにより、空気流通部９１内において流量調整板９２上と流量調整板９３上とで空気の流速に差が生じることを防止することができる。
【０１８８】
この場合、塗布処理室２１〜２４において、塗布処理ユニット１２９の２つのカップ２７に均一に空気を供給することができる。それにより、塗布処理ユニット１２９の２つのカップ２７において均一な処理を行うことができる。
【０１８９】
同様に、現像処理室３１〜３４において、現像処理ユニット１３９の２つのカップ３７に均一に空気を供給することができる。それにより、現像処理ユニット１３９の２つのカップ３７において均一な処理を行うことができる。
【０１９０】
以上の結果、基板処理装置１００の処理性能を向上させることができる。
【０１９１】
（ｂ）また、本実施の形態に係る給気ユニット４１においては、空気流通部９１内の上流側（流通管５１側）に配置される流量調整板９２の開口面積が下流側に配置される流量調整板９３の開口面積よりも大きい。それにより、流量調整板９２の複数の貫通孔９６を通過する空気の量と流量調整板９３の複数の貫通孔９６を通過する空気の量とに差が生じることを十分に防止することができる。
【０１９２】
この場合、塗布処理室２１〜２４において、塗布処理ユニット１２９の２つのカップ２７に均一に空気を供給することができる。それにより、塗布処理ユニット１２９における基板Ｗのより均一な処理が可能になる。
【０１９３】
同様に、現像処理室３１〜３４において、現像処理ユニット１３９の２つのカップ３７に均一に空気を供給することができる。それにより、現像処理ユニット１３９における基板Ｗのより均一な処理が可能になる。
【０１９４】
以上の結果、基板処理装置１００の処理性能を十分に向上させることができる。
【０１９５】
（ｃ）また、本実施の形態に係る給気ユニット４３においては、フィルタ装置２０２が設けられる第１の流入空間６０１とフィルタ装置２０３が設けられる第２の流入空間６０２とが仕切り板２０８により隔離されている。それにより、第１の流入空間６０１から第２の流入空間６０２に空気が流入することを防止することができる。その結果、第１の流入空間６０１における空気の流速に比べて第２の流入空間６０２における空気の流速が速くなることを防止することができる。
【０１９６】
この場合、フィルタ装置２０２から吐出される空気量とフィルタ装置２０３から吐出される空気量とに差が生じることを防止することができる。したがって、移動部材３１４（図５）の移動経路上に空気を均一に供給することが可能となる。それにより、搬送機構１２７，１２８，１３７，１３８により基板Ｗが搬送される際に基板Ｗの周辺の温湿度が変化することを防止することができる。その結果、基板Ｗの高精度な処理が可能となる。
【０１９７】
（ｄ）また、本実施の形態に係る給気ユニット４３においては、流通空間２０５と流入空間２０６との間にスリット板２０４が設けられている。この場合、流通空間２０５から第１の流入空間６０１に流入する空気の流速と流通空間２０５から第２の流入空間６０２に流入する空気の流速とに差が生じることを容易に防止することができる。それにより、第１の流入空間６０１における空気の流速および第２の流入空間６０２における空気の流速を容易に均一化することができる。その結果、フィルタ装置２０２から吐出される空気量とフィルタ装置２０３から吐出される空気量とに差が生じることを容易に防止することができる。
【０１９８】
また、本実施の形態に係る給気ユニット４３においては、流通空間２０５と第１の流入空間６０１とを連通させる複数のスリット２０７の合計の面積が流通空間２０５と第２の流入空間６０２とを連通させる複数のスリット２０７の合計の面積よりも大きい。
【０１９９】
この場合、第１の流入空間６０１における空気の流速および第２の流入空間６０２における空気の流速を十分に均一化することができる。それにより、フィルタ装置２０２から吐出される空気量とフィルタ装置２０３から吐出される空気量とに差が生じることを十分に防止することができる。
【０２００】
以上の結果、移動部材３１４の移動経路上に空気をより均一に供給することができるので、基板Ｗのより高精度な処理が可能となる。
【０２０１】
（ｅ）また、本実施の形態に係る排気ユニット４４においては、空気流入部４００と流通管７７（または流通管７８）との接続部上の第１領域４０１内に形成される貫通孔４０４の直径が、第２および第３領域４０２，４０３内の貫通孔４０４の直径に比べて小さい。
【０２０２】
この場合、第１領域４０１において吸入される空気量、第２領域４０２において吸入される空気量および第３領域４０３において吸入される空気量に差が生じることを防止することができる。したがって、給気ユニット４３から第１領域４０１に向かって流れる空気量、給気ユニット４３から第２領域４０２に向かって流れる空気量および給気ユニット４３から第３領域４０３に向かって流れる空気量に差が生じることを防止することができる。それにより、給気ユニット４３から吐出された空気を移動部材３１４（図５）の移動経路上に均一に供給することができる。その結果、搬送機構１２７，１２８，１３７，１３８により基板Ｗが搬送される際に基板Ｗの周辺の温湿度が変化することを防止することができる。それにより、基板Ｗの高精度な処理が可能となる。
【０２０３】
（ｆ）また、本実施の形態においては、上段の処理部（塗布処理室２１，２２、上段搬送室１２５，１３５、現像処理室３１，３２および上段熱処理部３０１，３０３）および下段の処理部（塗布処理室２３，２４、下段搬送室１２６，１３６、現像処理室３３，３４および下段熱処理部３０２，３０４）において複数の基板Ｗの処理を並行して進めることができる。
【０２０４】
それにより、搬送機構１２７,１２８，１３７，１３８による基板Ｗの搬送速度を速くすることなく、塗布ブロック１２および現像ブロック１３のスループットを向上させることができる。また、搬送機構１２７,１２８，１３７，１３８が上下に設けられているので、基板処理装置１００のフットプリントが増加することを防止することができる。
【０２０５】
（ｇ）また、本実施の形態においては、上段の処理部および下段の処理部が等しい構成を有する。それにより、上段の処理部および下段の処理部の一方において故障等が発生した場合でも、他方の処理部を用いて基板Ｗの処理を続行することができる。その結果、基板処理装置１００の汎用性が向上する。
【０２０６】
（ｈ）また、本実施の形態においては、上段搬送室１２５および下段搬送室１２６には、共通の供給源（流通管７１）から同じ温湿度に調整された空気が供給される。それにより、上段搬送室１２５内の空気および下段搬送室１２６内の空気を均一な温湿度に保つことができる。
【０２０７】
同様に、上段搬送室１３５および下段搬送室１３６には、共通の供給源（流通管７４）から同じ温湿度に調整された空気が供給される。それにより、上段搬送室１３５内の空気および下段搬送室１３６内の空気を均一な温湿度に保つことができる。
【０２０８】
以上の結果、上段の処理部において処理された基板Ｗの状態および下段の処理部において処理された基板Ｗの状態に差が生じることを防止することができる。それにより、複数の基板Ｗを迅速かつ均一に処理することが可能になる。
【０２０９】
（ｉ）また、本実施の形態においては、上段搬送室１２５および塗布処理室２１，２２には、共通の供給源（流通管７１）から同じ温湿度に調整された空気が供給される。それにより、塗布処理室２１，２２内の空気および上段搬送室１２５内の空気を均一な温湿度に保つことができる。この場合、上段搬送室１２５と塗布処理室２１，２２との間で基板Ｗの受け渡しが行われる際に上段搬送室１２５内の空気および塗布処理室２１，２２内の空気の温湿度が変動することを防止することができる。
【０２１０】
同様に、下段搬送室１２６および塗布処理室２３，２４には、共通の供給源（流通管７１）から同じ温湿度に調整された空気が供給される。それにより、下段搬送室１２６と塗布処理室２３，２４との間で基板Ｗの受け渡しが行われる際に下段搬送室１２６内の空気および塗布処理室２３，２４内の空気の温湿度が変動することを防止することができる。
【０２１１】
また、上段搬送室１３５および現像処理室３１，３２には、共通の供給源（流通管７４）から同じ温湿度に調整された空気が供給される。それにより、現像処理室３１，３２内の空気および上段搬送室１３５内の空気を均一な温湿度に保つことができる。この場合、上段搬送室１３５と現像処理室３１，３２との間で基板Ｗの受け渡しが行われる際に上段搬送室１３５内および現像処理室３１，３２内の温湿度が変化することを防止することができる。
【０２１２】
同様に、下段搬送室１３６および現像処理室３３，３４には、共通の供給源（流通管７５）から同じ温湿度に調整された空気が供給される。それにより、下段搬送室１３６と現像処理室３３，３４との間で基板Ｗの受け渡しが行われる際に下段搬送室１３６内の空気および現像処理室３３，３４内の空気の温湿度が変動することを防止することができる。
【０２１３】
以上の結果、基板Ｗの高精度な処理が可能になる。
【０２１４】
（ｊ）また、本実施の形態においては、流量調整ダンパ８３によって上段搬送室１２５および下段搬送室１２６に供給される空気量を等しくすることができる。この場合、上段搬送室１２５内の雰囲気および下段搬送室１２６内の雰囲気を均一な状態に保つことができる。それにより、上段搬送室１２５内の基板Ｗの状態および下段搬送室１２６内の基板Ｗの状態に差が生じることを防止することができる。
【０２１５】
同様に、流量調整ダンパ８３によって上段搬送室１３５および下段搬送室１３６に供給される空気量を等しくすることができる。この場合、上段搬送室１３５内の雰囲気および下段搬送室１３６内の雰囲気を均一な状態に保つことができる。それにより、上段搬送室１３５内の基板Ｗの状態および下段搬送室１３６内の基板Ｗの状態に差が生じることを防止することができる。
【０２１６】
以上の結果、上段の処理部および下段の処理部における基板Ｗのより均一な処理が可能になる。
【０２１７】
（ｋ）また、本実施の形態においては、ファン８４により上段搬送室１２５から排出される空気量および下段搬送室１２６から排出される空気量を等しくすることができる。この場合、上段搬送室１２５内の雰囲気および下段搬送室１２６内の雰囲気をより均一な状態に保つことができる。それにより、上段搬送室１２５内の基板Ｗの状態および下段搬送室１２６内の基板Ｗの状態に差が生じることを十分に防止することができる。
【０２１８】
同様に、ファン８４により上段搬送室１３５から排出される空気量および下段搬送室１３６から排出される空気量を等しくすることができる。この場合、上段搬送室１２５内の雰囲気および下段搬送室１２６内の雰囲気をより均一な状態に保つことができる。それにより、上段搬送室１３５内の基板Ｗの状態および下段搬送室１３６内の基板Ｗの状態に差が生じることを十分に防止することができる。
【０２１９】
（ｌ）また、本実施の形態においては、流量調整ダンパ４６によって塗布処理室２１〜２４に供給される空気量を等しくすることができる。この場合、塗布処理室２１〜２４内の雰囲気を均一な状態に保つことができる。それにより、塗布処理室２１，２２において形成される膜の状態および塗布処理室２３，２４において形成される膜の状態に差が生じることを防止することができる。
【０２２０】
同様に、流量調整ダンパ４８によって現像処理室３１〜３４に供給される空気量を等しくすることができる。この場合、現像処理室３１〜３４内の雰囲気を均一な状態に保つことができる。それにより、現像処理室３１，３２における現像処理および現像処理室３３，３４における現像処理に差が生じることを防止することができる。
【０２２１】
以上の結果、上段の処理部および下段の処理部における基板Ｗのより均一な処理が可能になる。
【０２２２】
（ｍ）また、本実施の形態においては、流量調整ダンパ４７によって塗布処理室２１〜２４から排出される空気量を略等しくすることができる。この場合、塗布処理室２１〜２４内の雰囲気をより均一な状態に保つことができる。それにより、塗布処理室２１〜２４において基板Ｗをより均一に処理することができる。
【０２２３】
同様に、流量調整ダンパ４９によって現像処理室３１〜３４から排出される空気量を等しくすることができる。この場合、現像処理室３１〜３４内の雰囲気をより均一な状態に保つことができる。それにより、現像処理室３１〜３４において基板Ｗをより均一に処理することができる。
【０２２４】
以上の結果、上段の処理部および下段の処理部における基板Ｗのより均一な処理が可能になる。
【０２２５】
（１１）他の実施の形態
（ａ）上記実施の形態においては、２つのカップ２７を有する塗布処理ユニット１２９および２つのカップ３７を有する現像処理ユニット１３９が設けられた基板処理装置１００について説明したが、３つのカップ２７を有する塗布処理ユニット１２９または３つのカップ３７を有する現像処理ユニット１３９が基板処理装置１００に設けられてもよい。
【０２２６】
なお、塗布処理ユニット１２９が２つのカップ２７を有する場合または現像処理ユニット１３９が２つのカップ３７を有する場合には、以下に説明する給気ユニット４１が用いられる。なお、以下においては、塗布処理ユニット１２９の上方に設けられる給気ユニット４１について説明するが、現像処理ユニット１３９の上方にも同様の構成の給気ユニット４１を設けることができる。
【０２２７】
図１１は、塗布処理ユニット１２９が２つのカップ２７を有する場合に基板処理装置１００に設けられる給気ユニット４１を示す概略図である。なお、図１１において、（ａ）は、給気ユニット４１の側面図であり、（ｂ）は、（ａ）のＡ−Ａ線断面図である。
【０２２８】
図１１に示す給気ユニット４１が図８の給気ユニット４１と異なるのは以下の点である。
【０２２９】
図１１の給気ユニット４１においては、空気流通部９１の下面に、流量調整板９２，９３，９８が設けられ、その流量調整板９２，９３，９８の下面にフィルタ装置９４，９５，９９が設けられる。流量調整板９８は、空気流通部９１の下面に形成される開口９１４を塞ぐように空気流通部９１の下面に取り付けられる。なお、流量調整板９８は、流量調整板９２，９３と同様の形状を有し、フィルタ装置９９は、フィルタ装置９４，９５と同様の構成を有する。
【０２３０】
このような構成において、流量調整板９２，９３，９８の上面には、それぞれ複数（本実施の形態においては３本）の気流調整部材９７が設けられる。それにより、流通管５１から空気流通部９１内に流入した空気が空気流通部９１内を−Ｘ方向に向かって直進することを防止することができる。
【０２３１】
この場合、空気流通部９１内の任意の位置において空気の流速に差が生じることを防止することができる。それにより、流量調整板９２の複数の貫通孔９６を通過する空気の量、流量調整板９３の複数の貫通孔９６を通過する空気の量および流量調整板９８の複数の貫通孔９６を通過する空気の量に差が生じることを防止することができる。したがって、フィルタ装置９４の下方のカップ２７、フィルタ装置９５の下方のカップ２７およびフィルタ装置９９の下方のカップ２７に同等の量の空気を供給することができる。その結果、３つのカップ２７において基板Ｗを均一に処理することが可能になる。
【０２３２】
なお、この給気ユニット４１においては、流量調整板９２に形成される複数の貫通孔９６の合計の面積が、流量調整板９３に形成される複数の貫通孔９６の合計の面積よりも大きく、流量調整板９８に形成される複数の貫通孔９６の合計の面積よりも大きいことが好ましい。すなわち、空気流通部９１内の上流側（流通管５１側）に配置される流量調整板９２の開口面積が下流側に配置される流量調整板９３の開口面積および流量調整板９８の開口面積よりも大きいことが好ましい。
【０２３３】
この場合、流量調整板９２を通過する空気の量、流量調整板９３を通過する空気の量および流量調整板９８を通過する空気の量に差が生じることを十分に防止することができる。それにより、塗布処理ユニット１２９の３つのカップ２７に均一に空気を供給することができる。その結果、塗布処理ユニット１２９における基板Ｗのより均一な処理が可能になる。
【０２３４】
（ｂ）また、上記の給気ユニット４１においては、各流量調整板９２，９３，９８上に３本の気流調整部材９７がそれぞれ設けられているが、気流調整部材９７の本数は上記の例に限定されない。例えば、各流量調整板９２，９３，９８上に２本以下の気流調整部材９７がそれぞれ設けられてもよく、各流量調整板９２，９３，９８上に４本以下の気流調整部材９７がそれぞれ設けられてもよい。
【０２３５】
また、気流調整部材９７の形状は図８で説明した形状に限定されない。気流調整部材９７の形状は、例えば、中央部が＋Ｘ方向側または−Ｘ方向側に屈折または緩やかに湾曲した形状であってもよい。また、気流調整部材９７の断面形状は、例えば、円形であってもよく、楕円形であってもよく、半円形状あってもよく、三角形状であってもよく、他の多角形状であってもよい。
【０２３６】
（ｃ）また、上記実施の形態に係る排気ユニット４４（図１０）においては、第２領域４０２内の貫通孔４０４と第３領域４０３内の貫通孔４０４とが等しい直径で形成されているが、第２領域４０２内の貫通孔４０４と第３領域４０３内の貫通孔４０４とが異なる直径で形成されてもよい。
【０２３７】
例えば、流通管７７（または流通管７８）における空気の吸入量が大きい場合には、第２領域４０２内の貫通孔４０４の直径が第３領域４０３内にお貫通孔４０４の直径よりも大きくなるように複数の貫通孔４０４を形成してもよい。
【０２３８】
（ｄ）また、上記実施の形態においては、流量調整ダンパ４６および流量調整ダンパ４８により給気ユニット４１に供給される空気量を調整しているが、給気ユニット４１に供給される空気量の調整方法は上記の例に限定されない。
【０２３９】
例えば、流通管５１および流通管６１の内径を調整することにより給気ユニット４１に供給される空気量を調整してもよく、貫通孔９６の直径を調整することにより給気ユニット４１に供給される空気量を調整してもよい。
【０２４０】
（ｅ）また、上記実施の形態においては、流量調整ダンパ８３により給気ユニット４３に供給される空気量を調整しているが、給気ユニット４３に供給される空気量の調整方法は上記の例に限定されない。
【０２４１】
例えば、流通管７２および流通管７３の内径を調整することにより給気ユニット４３に供給される空気量を調整してもよく、スリット２０７の大きさを調整することにより給気ユニット４３に供給される空気量を調整してもよい。
【０２４２】
（ｆ）また、上記実施の形態においては、流量調整ダンパ４７および流量調整ダンパ４９により塗布処理室２１〜２４および現像処理室３１〜３４から排出される空気量を調整しているが、塗布処理室２１〜２４および現像処理室３１〜３４から排出される空気量の調整方法は上記の例に限定されない。
【０２４３】
例えば、流量調整ダンパ４７，４９の代わりに電動式のファンを設けて空気の排出量を調整してもよく、流通管５２〜５５および流通管６２〜６５の内径を調整することにより空気の排出量を調整してもよい。
【０２４４】
（ｇ）また、上記実施の形態においては、給気ユニット４１と給気ユニット４３とが異なる構成を有しているが、給気ユニット４１と給気ユニット４３とが等しい構成を有してもよい。例えば、給気ユニット４１が図９で説明した給気ユニット４３と等しい構成を有してもよく、給気ユニット４３が図８または図１１で説明した給気ユニット４１と等しい構成を有してもよい。
【０２４５】
なお、塗布処理ユニット１２９上の給気ユニット４１の構成が図９の給気ユニット４３と等しい構成を有する場合には、２つのカップ２７がそれぞれフィルタ装置２０２，２０３の下方に配置される。
【０２４６】
（１２）請求項の各構成要素と実施の形態の各要素との対応
以下、請求項の各構成要素と実施の形態の各要素との対応の例について説明するが、本発明は下記の例に限定されない。
【０２４７】
（ａ）第１の発明について
上記実施の形態では、スピンチャック２５およびカップ２７またはスピンチャック３５およびカップ３７が液処理装置の例であり、給気ユニット４１が気体供給装置の例であり、空気流通部９１が本体部の例であり、フィルタ装置９４が第１のフィルタの例であり、フィルタ装置９５またはフィルタ装置９９が第２のフィルタの例であり、空気流通部９１の内部空間が流通空間の例であり、開口９１２が第１の開口の例であり、開口９１３または開口９１４が第２の開口の例であり、流量調整板９２が第１の流量調整板の例であり、流量調整板９３または流量調整板９８が第２の流量調整板の例である。
【０２４８】
（ｂ）第２の発明について
上記実施の形態では、塗布処理部１２１、現像処理部１３１または熱処理部１２３，１３３が処理部の例であり、移動部材３１４、回転部材３１５およびハンドＨ１，Ｈ２が基板搬送装置の例であり、給気ユニット４３が気体供給装置の例であり、空気流通部２０１が本体部の例であり、フィルタ装置２０２が第１のフィルタの例であり、フィルタ装置２０３が第２のフィルタの例であり、開口２０９が第１の開口の例であり、開口２１０が第２の開口の例であり、仕切り板２０８が仕切りの例である。
【０２４９】
（ｃ）第３の発明について
上記実施の形態では、塗布処理部１２１、現像処理部１３１または熱処理部１２３，１３３が処理部の例であり、移動部材３１４、回転部材３１５およびハンドＨ１，Ｈ２が基板搬送装置の例であり、給気ユニット４３が気体供給装置の例であり、排気ユニット４４が気体吸入装置の例であり、フィルタ装置２０２，２０３が気体吐出面の例であり、空気流入部４００が気体吸入部の例であり、流通管７７が吸引管の例であり、ファン８４が吸引装置の例であり、第１領域４０１が第１の吸入面の例であり、第２領域４０２または第３領域４０３が第２の吸入面の例であり、貫通孔４０４が第１および第２の吸入口の例であり、空気流入部４００の内部空間が流通空間の例である。
【０２５０】
請求項の各構成要素として、請求項に記載されている構成または機能を有する他の種々の要素を用いることもできる。
【産業上の利用可能性】
【０２５１】
本発明は、種々の基板処理システムに利用することができる。
【図面の簡単な説明】
【０２５２】
【図１】基板処理装置の平面図である。
【図２】図１の塗布処理部および現像処理部を＋Ｙ方向側から見た図である。
【図３】図１の塗布処理部、搬送部および熱処理部を−Ｘ方向側から見た図である。
【図４】図１の熱処理部を−Ｙ方向側から見た図である。
【図５】図１の搬送部の構成を説明するための図である。
【図６】搬送機構を示す斜視図である。
【図７】インターフェイスブロックの内部構成を示す図である。
【図８】塗布処理室に設けられる給気ユニットを示す概略図である。
【図９】上段搬送室に設けられる給気ユニットを示す概略図である。
【図１０】上段搬送室に設けられる排気ユニットを示す概略図である。
【図１１】給気ユニットを示す図である。
【符号の説明】
【０２５３】
１１  インデクサブロック
１２  塗布ブロック
１３  現像ブロック
１４  インターフェイスブロック
１５  露光装置
２１〜２４  塗布処理室
３１〜３４  現像処理室
４１，４３，４５  給気ユニット
４２，４４  排気ユニット
１００  基板処理装置
１１２,１２２,１３２  搬送部
１２１  塗布処理部
１２３,１３３  熱処理部
１３１  現像処理部
【図１】
2010087116.tif 000003
【図２】
2010087116.tif 000004
【図３】
2010087116.tif 000005
【図４】
2010087116.tif 000006
【図５】
2010087116.tif 000007
【図６】
2010087116.tif 000008
【図７】
2010087116.tif 000009
【図８】
2010087116.tif 000010
【図９】
2010087116.tif 000011
【図１０】
2010087116.tif 000012
【図１１】
2010087116.tif 000013